(57)【要約】  コンテンツを識別、格納、保護、商業交換、および共有するための多機能サービスインフラストラクチャを備えた電子リーダーアーキテクチャが提供される。このアーキテクチャにより、専門的、機関的、協働的、または個人的なコンテンツへの容易なアクセスを、検索、コメント作成、投稿等の補助機能と共に提供する一群の互換性のあるクロスプラットフォーム消費体験を通じて、コンテンツを消費することが可能になり得る。
2015529909.tif 000002
【特許請求の範囲】
【請求項１】
電子読書体験を提供するためにコンピュータデバイスで少なくとも部分的に実行される方法であって、
１つまたは複数のコンテンツソースが、コンテンツを直接的またはクラウドベースリーダーサービスを通じて電子リーダーアプリケーションに提供することを可能にすることと、
前記電子リーダーアプリケーションに関連する前記コンテンツの少なくとも一部を、前記クラウドベースリーダーサービスにより管理されるクラウドベースデータストアに格納することと
を含み、前記コンテンツが、電子的な書籍、雑誌、記事、専門コンテンツ、機関コンテンツ、個人コンテンツ、および協働コンテンツの１つまたは複数を含む、方法。
【請求項２】
ブックストアのブラウジングおよびクライアントデバイスにダウンロードする書籍の購入のうちの一つまたは複数を可能にすることと、
コンテンツを標準フォーマットで表示することと、
コンテンツを画像、音声／ビデオ再生、および対話性と共に表示することと、
表示されたコンテンツのサイズを調節して読みやすさを向上させることと、
特定のコンテンツに固定されたテキスト注釈を作成することと、
書籍の特定のページに固定された全面メモを作成することと、
興味のあるコンテンツを強調表示または下線でマークアップすることと、
前記興味のあるコンテンツを表示しているときにメモまたは注釈を呼び出すことと、
前記電子リーダーアプリケーションを実行している１つまたは複数のデバイスの間で注釈および全面メモを同期することと、
前記興味のあるコンテンツを読書体験の中でウェブ検索結果が表示された状態で参照することと、
前記参照時に、書籍およびメモのコンテンツをウェブ検索と共に検索することと
をさらに含む、請求項１に記載の方法。
【請求項３】
ページ背景、行間、余白、のどあき、および文字色の１つまたは複数を通じた読書体験の１つまたは複数のカスタマイズを可能にすることと、
インクの色、線幅、消しゴムの幅、文字色、フォントの種類、およびフォントのサイズの１つまたは複数を通じて、ユーザーが生成したコンテンツをカスタマイズすることと、
表示されたコンテンツの領域を選択し、前記選択されたコンテンツをノート作成ペインにドラッグすることと、
既存またはキャプチャされた音声／ビデオストリームをメモに追加することと、
フォントのスタイル、フォントの色、およびフォントのサイズの１つまたは複数の変更によりメモを書式設定することと、
注釈を、１つまたは複数の注釈コンテンツタイプを受け取ることができる別のプログラムにエクスポートすることと、
事前に構成された友人の書籍に前記注釈を同期することと、
リーダー体験内からライブチャットを実行することと、
注釈および興味のあるコンテンツにリンクするハイパーリンクを、電子メール、およびソーシャルウェブサイトへの投稿によることのうちの一方を介して、共有することと、
前記表示されたコンテンツを、チャットセッション時に表示されるリアルタイム注釈と共に共有することと
をさらに含む、請求項１に記載の方法。
【請求項４】
ユーザーが提供されたコンテンツを対話操作し、前記コンテンツソースおよび指定された宛先の１つにユーザー入力を転送することを可能にすることをさらに含む、請求項１に記載の方法。
【請求項５】
電子リーダーアプリケーションユーザーインターフェイスでのコントロールの起動を通じて、ソーシャルネットワーク、専門ネットワーク、およびブログの１つまたは複数で、コンテンツ、メモ、および注釈の少なくとも１つを共有することを可能にすることをさらに含む、請求項１に記載の方法。
【請求項６】
電子読書体験を提供するサーバーであって、
メモリと、
前記メモリに接続され、前記メモリに格納された命令と連動して電子リーダーサービスを実行するプロセッサと
を含み、前記電子リーダーサービスが、
１つまたは複数のコンテンツソースが、コンテンツを直接的または前記電子リーダーサービスを通じて電子リーダーアプリケーションに提供することを可能にし、
前記電子リーダーアプリケーションに関連する前記コンテンツの少なくとも一部を、前記電子リーダーサービスにより管理されるクラウドベースデータストアに格納するように構成され、前記コンテンツが、電子的な書籍、雑誌、記事、専門コンテンツ、機関コンテンツ、個人コンテンツ、および協働コンテンツの１つまたは複数を含む、サーバー。
【請求項７】
前記電子リーダーサービスが、
ダウンロードされたコンテンツを前記電子リーダーアプリケーションでサンドボックス化して悪意のあるコンテンツまたは安全でないコンテンツから保護することを可能にするようにさらに構成された、請求項６に記載のサーバー。
【請求項８】
個人ドメインおよび組織ドメインのうちの一方から作成または受信された個人文書について前記電子リーダーアプリケーションで作成時に処理が実行され、処理の一部が前記コンテンツソースで実行され、前記処理の別の部分が前記電子リーダーアプリケーションで書籍用に実行される、請求項６に記載のサーバー。
【請求項９】
電子読書体験を提供するための命令が格納されたコンピュータ可読メモリデバイスであって、前記命令が、
１つまたは複数のコンテンツソースが、コンテンツを直接的またはクラウドベースリーダーサービスを通じて電子リーダーアプリケーションに提供することを可能にすることと、
前記電子リーダーアプリケーションに関連する前記コンテンツの少なくとも一部を、前記クラウドベースリーダーサービスにより管理されるクラウドベースデータストアに格納することであって、前記コンテンツが、電子的な書籍、雑誌、記事、専門コンテンツ、機関コンテンツ、個人コンテンツ、および協働コンテンツの１つまたは複数を含むことと、
前記クラウドベースリーダーサービスで、一群の互換性のあるクロスプラットフォーム消費体験を通じて前記コンテンツを識別、格納、保護、商業交換、および共有するための多機能サービスインフラストラクチャを提供することであって、前記消費体験が、コア読書体験、メモ作成体験、調査体験、参照体験、ソーシャル共有体験、およびユーザー作成コンテンツの前記専門コンテンツとの集約体験の１つまたは複数を含むことと
を含む、コンピュータ可読メモリデバイス。
【請求項１０】
前記命令が、
利用可能なコンテンツを１つまたは複数のビューを通じて表示し、前記利用可能なコンテンツを電子リーダーアプリケーションユーザーインターフェイスで事前に定義されたカテゴリに応じてグループ化することを可能にすること
をさらに含む、請求項９に記載のコンピュータ可読メモリデバイス。
【発明の詳細な説明】
【背景技術】
【０００１】
[0001]  コンピュータ技術およびネットワーク技術の拡散に伴い、さまざまな形式のコンテンツが多数のデバイスおよびプラットフォームを通じてユーザーに提供されるようになっている。たとえば、電子書籍は、テキスト／グラフィックのコンテンツを普及させるための好ましい形態として、紙の書籍に急速に取って代わっている。電子書籍の消費のさまざまな側面により、電子書籍のコンテンツをユーザーに伝えるためのプラットフォームが多様な種類に及んでいる。たとえば、一部の電子リーダーデバイスは、専用ディスプレイにより屋外での読書を強化しており、他の電子リーダーデバイスは、より小さなフォームファクタで携帯性を強化している。こうした専門化したデバイスは、色、細部等が欠如しているなどの付随する欠点を有する。
【０００２】
[0002]  さらに、電子書籍はコンテンツの一種に過ぎない。雑誌、新聞、個人文書、ビジネス文書、および他の多くの形式のコンテンツが日々やり取りされているが、電子リーダーデバイスは、通常はそれらの形式の一部に限定されている。ある程度の種類のコンテンツを提供するプラットフォームは、表示、対話性、およびその他のユーザー体験要素が限定されがちである。
【発明の概要】
【０００３】
[0003]  本概要は、以下の詳細な説明で詳述される概念の一部を簡素な形式で提供するために設けられる。本概要は、特許請求の範囲に記載された主題の主要な特徴または必須の特徴を排他的に特定することを意図したものではなく、特許請求の範囲に記載された主題の範囲を限定することを支援するものとして意図されているわけでもない。
【０００４】
[0004]  実施形態は、専門的、機関的、協働的、または個人的なコンテンツへのアクセスを容易にし、検索、コメント作成、投稿等の補助機能を提供する一群の互換性のあるクロスプラットフォーム消費体験を通じた、識別、格納、保護、商業交換、およびコンテンツ共有のための多機能サービスインフラストラクチャに関する。
【０００５】
[0005]  これらの特徴および利点ならびに他の特徴および利点は、以下の詳細な説明を読み、添付の図面を確認することで明らかとなる。上記の概要と、以下の詳細な説明とは、いずれも例示的なものであり、特許請求の範囲に記載された態様を限定するものではないことを理解されたい。
【図面の簡単な説明】
【０００６】
【図１】[0006]さまざまなコンテンツと選択されたテキストに対してユーザーが利用できる例示的なコマンドとを含む例示的な電子リーダー画面を示す図である。
【図２】[0007]検索ペインを含む別の例示的な電子リーダー画面を示す図である。
【図３】[0008]コメント作成および／または共有ペインを含むさらなる例示的な電子リーダー画面を示す図である。
【図４】[0009]一部の実施形態に係る例示的な電子リーダーサービスアーキテクチャの主要な構成要素および対話を示す図である。
【図５】[0010]電子リーダーアプリケーションユーザーインターフェイスの例示的なホームページビューを示す図である。
【図６】[0011]電子リーダーアプリケーションユーザーインターフェイスの例示的なマイブックシェルフページビューを示す図である。
【図７】[0012]利用可能な書籍がジャンルごとに並べられた電子リーダーアプリケーションユーザーインターフェイスの例示的なブックストアビューを示す図である。
【図８】[0013]利用可能な書籍がアルファベット順に並べられた電子リーダーアプリケーションユーザーインターフェイスの例示的なマイライブラリビューを示す図である。
【図９】[0014]多様なコンテンツと異なる種類のコンテンツ用の対話コントロールとを含む例示的な電子リーダーアプリケーションユーザーインターフェイスを示す図である。
【図１０】[0015]ウェブコンテキストおよびローカルコンテキストを通じたコンテンツの安全な処理を示す概念図である。
【図１１】[0016]実施形態に係るシステムが実装され得るネットワーク環境を示す図である。
【図１２】[0017]実施形態が実装され得る例示的なコンピュータ動作環境のブロック図である。
【図１３】[0018]実施形態に係る電子リーダーサービスを提供するプロセスの論理流れ図である。
【発明を実施するための形態】
【０００７】
[0019]  上記で簡単に説明したように、専門的、機関的、協働的、または個人的なコンテンツに、検索、コメント作成、投稿等の補助機能を使用して容易にアクセスできるようにするために、コンテンツを識別、格納、保護、商業交換、および共有するための多機能な電子リーダーサービスインフラストラクチャが提供され得る。
【０００８】
[0020]  以下の詳細な説明では、添付の図面を参照する。これらの図面は、本明細書の一部を形成し、特定の実施形態または実施例を例示的に示す。本開示の精神および範囲から逸脱せずに、これらの態様を組み合わせたり、他の態様を利用したり、構造的な変更を加えたりすることが可能である。よって、以下の詳細な説明は限定的と捉えられるものではなく、本発明の範囲は添付の特許請求の範囲およびその均等の範囲によって定義される。
【０００９】
[0021]  実施形態はコンピュータデバイスのオペレーティングシステムで実行されるアプリケーションプログラムと連動して実行されるプログラムモジュールの一般的概念で説明されるが、当業者は、他のプログラムモジュールとの組み合わせで態様を実装し得ることを認識する。
【００１０】
[0022]  一般に、プログラムモジュールは、特定のタスクを実行するかまたは特定の抽象データ型を実装するルーチン、プログラム、コンポーネント、データ構造、および他の種類の構造を含む。さらに、当業者は、ハンドヘルドデバイス、マルチプロセッサシステム、マイクロプロセッサベースまたはプログラミング可能な消費者家電製品、ミニコンピュータ、大型汎用コンピュータ、類似のコンピュータデバイス等の他のコンピュータシステム構成で実施形態を実践し得ることを理解する。また、実施形態は、通信ネットワークを通じて接続されたリモート処理デバイスによりタスクが実行される分散コンピュータ環境でも実践され得る。分散コンピュータ環境では、プログラムモジュールはローカルメモリストレージデバイスとリモートメモリストレージデバイスの両方に配置される可能性がある。
【００１１】
[0023]  実施形態は、コンピュータにより実装されるプロセス（方法）、コンピュータシステム、またはコンピュータプログラム製品もしくはコンピュータ可読媒体等の製品として実装され得る。コンピュータプログラム製品は、コンピュータシステムによって読み取ることができ、コンピュータまたはコンピュータシステムに例示的なプロセスを実行させる命令を含むコンピュータプログラムを符号化した、コンピュータストレージ媒体であり得る。コンピュータ可読ストレージ媒体は、コンピュータ可読メモリデバイスである。コンピュータ可読ストレージ媒体は、たとえば、１つまたは複数の揮発性コンピュータメモリ、不揮発性メモリ、ハードドライブ、リムーバブルメモリデバイス、およびフラッシュドライブを利用して実装できる。
【００１２】
[0024]  本明細書を通じて、「プラットフォーム」という用語は、コンテンツ配信、セキュリティ機能、ユーザー体験要素、類似の要素等の電子リーダーサービスを提供するためのソフトウェアおよびハードウェア構成要素の組み合わせであり得る。プラットフォームの例として、複数のサーバー上で実行されるホスト型サービス、単一のコンピュータデバイスで実行されるアプリケーション、および類似するシステムがあるが、これらに限定されない。「サーバー」という用語は、通常は１つまたは複数のソフトウェアプログラムを典型的にはネットワーク環境で実行するコンピュータデバイスを意味する。ただし、サーバーは、ネットワーク上でサーバーと見なされる１つまたは複数のコンピュータデバイスで実行される仮想サーバー（ソフトウェアプログラム）としても実装され得る。これらの技術および例示的な実施形態のさらなる詳細は、以下の説明で見つかり得る。
【００１３】
[0025]  図１は、さまざまなコンテンツと選択されたテキストに対してユーザーが実行できる例示的なコマンドとを含む例示的な電子リーダー画面を示す。
【００１４】
[0026]  図解１００は、書籍のコンテンツを表示する一部の実施形態に係る例示的な電子リーダーユーザーインターフェイスを示す。以下で説明するその他の種類のコンテンツに加えて、図解１００の例示的なコンテンツは、テキストコンテンツ１０４と、画像１０２とを含む。画像１０２は、対話要素を備えることがあり、またはムービーもしくはスライドショーであり得る。表示されたコンテンツの一部１０６を選択すると、電子リーダーアプリケーションにより、選択の種類に応じて利用可能なコマンドを含むコマンドメニュー１０８が表示され得る。たとえば、テキストコンテンツを選択した場合、利用可能なコマンドは、「強調表示を追加」、「メモを追加」、「参照」、「検索」、および「検索」である。
【００１５】
[0027]  例示的な電子リーダーキテクチャは、さまざまなデスクトップオペレーティングプラットフォーム、モバイルオペレーティングプラットフォーム、およびホスト型オペレーティングプラットフォームのための、一群の互換性のあるクロスプラットフォーム消費体験を提供できる。このアーキテクチャはさらに、専門的、機関的、協働的、および／または個人的なコンテンツへの容易なアクセスを可能にし、コンテンツ保護技術（たとえば、デジタル著作権管理（DRM））をサポートできる。さらに、コンテンツの識別、（コンテンツおよびコメントの）格納、商業利用、保護、同期、および共有のための多機能サービスインフラストラクチャが提供され得る。
【００１６】
[0028]  実施形態に係る例示的な電子リーダーは、さまざまなカテゴリの標準フォーマットまたは独自フォーマットをサポートできる。たとえば、専門コンテンツ（書籍および雑誌）ではＥＰＵＢ２標準、ＥＰＵＢ３標準、およびＰＤＦ標準が使用され、機関コンテンツ（学術誌、業界誌）ではＰＤＦ標準、ＤＯＣＸ標準が使用され、協働コンテンツではＤＯＣＸ標準、ＰＤＦ標準が使用され、個人コンテンツではＤＯＣＸ標準、ＰＤＦ標準等が使用される場合がある。
【００１７】
[0029]  ＥＰＵＢは、ウェブサイトをオフラインパッケージでパッケージ化することを可能にする。この標準は、書籍のコンテンツをホストするＸＨＴＭＬ文書を含む圧縮（zip）ファイルと、書籍のメタデータを含み書籍の構造を記述するパッケージングファイルと、コンテンツおよびすべてのコンテンツ保護スキームへのルートポインタを記述するコンテナファイルとを含む。ＥＰＵＢは、さまざまな読書システムで最適に読み取ることができる再流し込み可能なテキストを提供する。ＥＰＵＢ３は、最新のコンテンツを含む書籍の作成を簡素化する。基盤となるコンテンツフォーマットはＨＴＭＬであり、ＳＶＧオブジェクト、ＭａｔｈＭＬ、ＣＳＳ３、およびスクリプト対応動作をサポートする。コンテンツフォーマット、ナビゲーション、スクリプト、スタイル、媒体、および文字セットがアップグレードされたＥＰＵＢ３は、魅力的な書籍コンテンツの作成を簡素化する。よって、ＥＰＵＢ３は「能動的読書」に必然的に適する。
【００１８】
[0030]  一部の実施形態に係る電子リーダーキテクチャでは、ユーザーはブックストアをブラウズして書籍を購入し（オフラインで使用できるようにローカルマシンにダウンロードされる）、互換性のあるＥＰＵＢ２コンテンツおよびＥＰＵＢ３コンテンツを表示し、互換性のあるＥＰＵＢ３に含まれる最新のコンテンツ（HTML5、媒体、対話型JSオブジェクト）を完全に忠実に表示し、読みやすさを向上させるためにフォント／サイズを調節し（フォント/サイズ/表示領域を適合させるためのコンテンツの高度な再流し込み）、特定のコンテンツに固定されたテキスト注釈を作成し、書籍の特定のページに固定された全面メモ（テキストおよびインク）を作成し、「興味のあるコンテンツ」を強調表示または下線によりマークアップし、興味のあるコンテンツを表示しているときにメモまたは注釈を呼び出し、および／またはリーダーアプリケーションを実行しているユーザーのすべてのデバイスの間で注釈および全面メモを同期することができる。
【００１９】
[0031]  別の実施形態に係る電子リーダーアーキテクチャでは、ユーザーは読書体験の中でウェブ検索結果が表示された状態で興味のあるコンテンツを参照し、参照プロセス時にライブラリの書籍およびメモのコンテンツをウェブ検索と共に検索し、ワープロ文書をアップロードしＥＰＵＢ３または類似する標準フォーマットに変換してユーザーライブラリに配置し、ＰＤＦ文書をアップロードしＥＰＵＢ３に変換してユーザーライブラリに配置し、変換されたＰＤＦ文書およびワープロ文書に注釈を加え、および／または読書体験をカスタマイズする（ページ背景、行間、余白/のどあき（a gutter width）、文字色）ことができる。上述した文書フォーマットは例示に過ぎず、実施形態を限定することを意図したものではない。実際、任意の文書フォーマットを処理し、表示し、本明細書で説明される電子リーダーのさまざまな機能に対応させることができる。このアーキテクチャにより、電子リーダーアプリケーションまたはサービスでは、さまざまな文書フォーマットのサポートを、すぐに使える状態で、アップグレードを通じて、またはサードパーティのプラグインを通じて、提供することができる。
【００２０】
[0032]  さらなる実施形態に係る電子リーダーアーキテクチャでは、ユーザーはユーザー生成コンテンツをカスタマイズし（インクの色、線幅、消しゴムの幅、文字色、フォント、サイズ）、書籍の領域を投げ縄ツールで選択してメモ領域にドラッグし、既存またはキャプチャされた音声／ビデオストリームをメモに追加し、メモを太字、斜体、色、フォント／サイズの変更等の装飾で書式設定し、注釈をメモ作成アプリケーションまたはすべての注釈コンテンツタイプ（インク、テキスト、画像、リンク、音声、ビデオ）を受け取ることができる他の任意のプログラムにエクスポートし、事前に構成された友人の書籍に注釈を同期し、リーダー体験内からライブチャットを実行し、注釈および興味のあるコンテンツにリンクする統一リソースロケータ（URL）を電子メールまたはソーシャルウェブサイトへの投稿を通じて共有し、および／またはチャットセッション時に表示されるリアルタイム注釈と共に画面を共有することができる。
【００２１】
[0033]  アーキテクチャにより提供される能動的読書体験は、コア読書体験、メモ作成、調査と参照、ソーシャル共有、およびユーザーコンテンツの専門コンテンツとの集約を網羅し得る。３Ｄスキーム、陰影スキーム、カラースキーム、テキストスキーム、グラフィックスキーム等のさまざまな視覚的スキームを実装して、利用可能なコンテンツを表示することができる。これらのスキームは、音声／ビデオ機能により補完され得る。ナビゲーションバーは、表示されている文書の実際のページ番号を表示できる。対話型の目次は、スクリプトを通じて自動的に更新され得る。
【００２２】
[0034]  ユーザーは、メモの追加、強調表示の追加、注釈の追加等を（キーボード入力またはインク入力を通じて）行うことができる。これらは、ローカルおよび／またはクラウドに格納され得る。提供されたコンテンツは、対話型であり得る。たとえば、ユーザーは、パズルを解いたり、テストを受けたり、コメントを提供したりすることができる。これらは、コンテンツソースまたは指定された宛先に送信され得る（たとえば、教科書はテストを含み、そのテストの結果が教授に送信され得る）。
【００２３】
[0035]  図２は、検索ペインを含む別の例示的な電子リーダー画面を示す。
【００２４】
[0036]  図解２００は、例示的な電子リーダーユーザーインターフェイスを示している。ここでは、書籍（または雑誌）のコンテンツがテキスト要素および画像要素と共に表示され、ユーザーインターフェイスで選択されたコンテンツの検索結果が検索ペインに表示されている。たとえば、表示されたコンテンツ２１０で「Ｈｏｍｅｏｓｔａｓｉｓ」という単語（２１２）が選択されている。検索ペイン２１４に表示される検索結果は、Ｗｉｋｉｐｅｄｉａの結果（２１６）、オンラインディクショナリの結果（２１８）、および／またはその他の資料（２２０）等のカテゴリによりグループ化され得る。
【００２５】
[0037]  実施形態に係る電子リーダーアーキテクチャでコンテンツ内でのコンテキストベースの検索を有効にし、コンテンツおよびユーザー情報を使用して検索機能を強化することができる。たとえば、選択された単語が、その単語の前後のコンテンツのコンテキストに基づいて、オンラインおよび／またはユーザーのドメインで検索され得る。結果は、コンテキストおよび／またはユーザー嗜好に基づいて、画像、地図、テキスト、学術論文等のカテゴリで提供され得る。
【００２６】
[0038]  さらに別の実施形態では、フラットな書籍（非対話的な静的コンテンツ）を、電子リーダーアプリケーションで検索エンジンを使用して多機能な書籍に自動的に変換することができる（たとえば、発見された画像、音声、ビデオ、リンクを適切な場所に挿入できる）。
【００２７】
[0039]  さらに、テキストコンテキストが認識された場合、コンテンツの一部をキャプチャし、コピーし、移動することができる。これらの「切り取られた」コンテンツ部分は、独立したビューペインに表示され、ディレクトリのように使用され得る（ユーザーは、切り取られた断片をクリックして、そのコンテンツの場所に移動できる）。インク入力が認識され、テキストに変換され得る。ただし、表示されるインクは視覚効果用に修正されない場合がある。
【００２８】
[0040]  図３は、コメントおよび／または共有ペインを含むさらなる例示的な電子リーダー画面を示す。
【００２９】
[0041]  図解３００は、例示的な電子リーダーユーザーインターフェイスを示している。ここでは、書籍（または雑誌）のコンテンツ３１０がテキスト要素および画像要素と共に表示され、メモ／共有ペイン３２０にユーザーのメモと共有するコンテンツとが表示されている。たとえば、ユーザーは表示されているコンテンツの一部３１２を選択することができる。その部分はメモ／共有ペイン３２０にコピーされ、共有することが可能となり得る。ユーザーは、表示されたコンテンツのコピーされた部分３２２を、共有コントロール３２４を起動する（たとえば、ボタンをクリックする）ことにより共有できる。これにより、たとえば表示されたコンテンツの一部がソーシャルネットワークで公開され得る。また、ユーザーは、ノート／共有ペイン３２０でメモ３２６を作成することもできる。このメモも公開することが可能である。
【００３０】
[0042]  さらに、コンテンツおよび／または注釈を、電子リーダーユーザーインターフェイスの使いやすいコントロールを通じて、ソーシャルネットワーク、専門ネットワーク、ブログ等で共有することができる。個人および／または組織の文書ソースを使用して、文書を書籍と同一／類似のフォーマットでユーザーのライブラリにインポートし、ユーザーが拡張されたリーダー機能を利用できるようにすることが可能である。たとえば、ＰＤＦ文書をＥＰＵＢフォーマットに変換することができる。ブラウザまたは電子リーダーのＵＩにある「リーダーに送信」ボタンにより、ユーザーは任意の文書を変換して自分のライブラリに格納することができる。
【００３１】
[0043]  図４は、一部の実施形態に係る電子リーダーサービスアーキテクチャの主要な構成要素および対話を示している。
【００３２】
[0044]  図解４００に示すように、実施形態に係るシステムは、コンテンツソース４３４、リーダーサービス４２８、およびリーダープラットフォーム４３２の３つの主要な構成要素を含み得る。これらのコンポーネントは、１つまたは複数のネットワーク４３０を介して対話できる。ネットワーク４３０は、有線ネットワーク、無線ネットワーク、エンタープライズネットワーク、公共ネットワーク、ローカルネットワーク、広域ネットワーク、およびその他のネットワークを含み得る。
【００３３】
[0045]  コンテンツソース４３４は、ストアとも呼ばれ、ユーザーが購入してローカルデバイスにダウンロードすることが可能な書籍またはその他のコンテンツのカタログにアクセスできる場所である。電子リーダーアプリケーション（ローカルまたはホスト型）は、リーダープラットフォーム４３２を通じてユーザーに提供され得る。リーダープラットフォーム４３２は、据置型、ハンドヘルド型、モバイル型、またはディスプレイを備えたウェアラブル型のコンピュータデバイス等の物理プラットフォーム（たとえば、タブレット）であり得る。リーダープラットフォーム４３２は、リーダーサービス４２８（バックエンドサービス）と対話してデータをプッシュ／取得できる。ローカルに格納されたデータは、コンテンツソース、リーダーサービス、および／またはユーザー操作での変更に基づいて更新され得る。
【００３４】
[0046]  タッチ、ジェスチャ（光学的またはその他の方法でキャプチャ）、音声、ジャイロスコープ、キーボード、マウス、ペン、および類似の入力機構を備えた物理デバイスをリーダープラットフォーム４３２として利用できる。そのため、アーキテクチャはこれらの対話方法の任意のものを受け入れることができる。さらに、電子リーダーアプリケーションは複数のマシンで実行できる。ユーザーがデバイスを（たとえば、デスクトップからスレートへ、またはスレートからスマートフォンへ）変更した場合、設定およびコンテンツは保存され得る（ただし、デバイスの性能／特徴に応じて調節される）。たとえば、注釈／メモは、ディスプレイの特性が変化したとき（コンテンツが再流し込みされたとき）でも、コンテンツに対する相対的な位置が維持されるように固定され得る。
【００３５】
[0047]  図５は、電子リーダーアプリケーションユーザーインターフェイスの例示的なホームページビューを示す。
【００３６】
[0048]  図解５００は、電子リーダーアプリケーションの初期ビューを示している。このビューには、ユーザーが自分のライブラリを通じて利用できる書籍／文書／コンテンツおよび／または１もしくは複数のブックストア（コンテンツストア）を通じて利用できる書籍／文書／コンテンツが表示されている。代替で、購入／ダウンロード可能なコンテンツと、ユーザーが既に所有しているコンテンツとを表示するブックストアビューとマイライブラリビューとを個別のビューに表示することもできる。これらのビューは、ユーザー嗜好に応じて設定および表示が可能である。
【００３７】
[0049]  図解５００の例示的なユーザーインターフェイスでは、利用可能なコンテンツが、ストア５３８、読書リスト５４２、およびマイブックシェルフ５４６という３つの例示的なカテゴリでグループ化されている。ストア５３８グループでは、利用可能な書籍（または他のコンテンツ）のリストが、選択された書籍カバー５４０と共に表示されて、ユーザーを視覚的に支援する。読書リスト５４２グループは、ユーザーによって選択された書籍（またはその他のコンテンツ）のリストと選択された書籍カバー５４４とを含み得る。これらの項目は、ブックストアまたはユーザーのローカルストアから取得され得る。マイブックシェルフ５４６グループは、ユーザーがローカルに（またはリーダーサービスによりホスト型データストアを通じて）利用できるもののリストと選択された書籍５４８、および他の文書（たとえば、文書５５０）を含み得る。既に説明したように、電子リーダーアプリケーションは、ユーザーが書籍、雑誌、自分で作成したコンテンツ、専門文書、および類似のコンテンツを（メモ作成、共有、注釈等により）表示および処理できるようにし得る。
【００３８】
[0050]  この例示的なユーザーインターフェイスは、さまざまなビュー用のビュー選択ボタンなどのコントロール５５２をさらに含む。電子リーダーアプリケーションユーザーインターフェイスのさまざまなビューでは、以下のコマンドを利用できる。「マイライブラリ」は、購入した書籍をダウンロードして読むことができるユーザーのローカルライブラリにＵＩを切り替える。「アップロード」は、選択ダイアログを表示し、ユーザーがＰＤＦファイルまたはＤＯＣＸファイル（保護なし）をアップロードできるようにする。アップロードされたファイルは、再流し込み可能なコンテンツに変換され得る。「購入」は、書籍が選択されたときに表示され、その書籍をライブラリＵＩからダウンロードできるようにする。「ダウンロード」は、ストアから購入した書籍のローカルコピーをグラフィックユーザーインターフェイスで作成して、購入したがまだダウンロードしていない書籍を視覚化する。「削除」は、書籍をライブラリから削除する。「開始」は、書籍または文書を起動して読む。
【００３９】
[0051]  コンテンツおよびサービスインフラストラクチャに基づいて、書籍メタデータ（読書、作成されたメモ、最後の読書等）のサムネール、メタデータ要素（アクセス順、カスタムタグ、サイズ、注釈レベル、ソーシャルコメント等）によるタイトルのピボット化／グループ化／並べ替え、グリッドビュー／リストビュー、選択された書籍のメタデータ詳細ウィンドウなどの特徴も提供され得る。
【００４０】
[0052]  コア読書体験は、右側または左側のグレーのバーにタッチするか、コンテンツ内でスワイプするか、コマンドバーでナビゲーショントラッカーを使用してコンテンツをナビゲートすること、興味のあるコンテンツを強調表示し、強調表示されたテキストに固定されるクイックメモを作成すること、全面メモを開始すること（コマンドバーで注釈をクリックするか、またはデバイスによってサポートされている場合はペンまたは類似のデバイスを表面に近づける）、興味のあるコンテンツの近くの「メモ」マーカーをクリックして以前に追加したクイックメモを開くこと、興味のあるコンテンツを右クリックして「参照」を選択することによって興味のあるコンテンツを参照し、ウェブ検索結果をインラインウィンドウに表示すること、コンテンツ内のスクリプト化されたクイズやビデオ再生コントロールなどの最新のオブジェクトと対話すること、使いやすい切り替え（タブ）により複数の書籍を開くこと、目次、コンテンツ、独自のメモ、ソーシャルメモでの結果を集約した検索を行うこと、特定のオブジェクト（画像等）を拡大すること、あいまい検索（たとえば、「table on biodiversity」）を行うこと、および／または背景、余白／のどあき、フォント、フォントサイズ、色を設定するオプションを含み得る。
【００４１】
[0053]  書籍または文書のコンテンツをビューに表示したまま、特定の検索結果を検索ウィンドウ内でさらに調査することができる。対話はオブジェクトの種類に固有である場合があり、カスタム動作（たとえば、スライドショーでスライドを進める、画像で関連コンテンツへの矢印を描画する等）を含むことがある。
【００４２】
[0054]  図６は、電子リーダーアプリケーションユーザーインターフェイスの例示的なマイブックシェルフページビューを示す。
【００４３】
[0055]  図解６００は、図５に類似する態様でグループ化された、ユーザーが利用可能なコンテンツを示す。ユーザー名６３６がユーザーを識別し、コントロール６５２が他のビューへのアクセスを提供し得る。利用可能なコンテンツは、例示的な個別の新聞６５６を含む新聞６５４、例示的な個別の雑誌６６０を含む雑誌６５８、および例示的な個別の書籍６６４を含む書籍６６２によりグループ化され得る。ユーザーコレクション内のほぼ終了したレンタル項目など、もうすぐ失効する項目の上には、時計アイコンが表示され得る。同じビューの２番目のページを開くか、現在のビューを左または右にスライドすることにより、追加のグループを利用できる。
【００４４】
[0056]  ユーザーがブックシェルフ項目を持っていない場合、ユーザーを体験に引き寄せる誘いとして機能するティーザー、すなわち「プレースホルダ」が表示され得る。グループ見出しは、グループ自体にジャンプするためのリンクとして機能し得る。上述したように、各グループに表示された個別の項目は、特別なものとして編集上選択されたか、グループの最新の項目であるか、または最後に読まれた項目である１つの大きな項目を含み得る。大きなディスプレイでは、４つの小さい項目または２つの大きい項目が収まる場合に、追加の垂直列が表示されることがある。
【００４５】
[0057]  各グループは、編集上の配置であるか、またはユーザーコレクションに新たに加えられたものであることを示す、大きな「特別項目」を含み得る。ユーザーは、見出しのタップ、クリック、およびピンチ／ズームにより、これらのグループをドリルダウンまたはドリルアップすることができる。ページタイトルの下には、並べ替えとして機能する「表示順」リストコントロールが表示され得る。選択肢は、以下のように異なり得る。
【００４６】
【表１】
2015529909.tif 000003
【００４７】
[0058]  図７は、利用可能な書籍がジャンルごとに並べられた電子リーダーアプリケーションユーザーインターフェイスの例示的なブックストアビューを示す。
【００４８】
[0059]  図解７００は、電子リーダーアプリケーションユーザーインターフェイスのブックストア７７０のビューを示す。ブックストア７７０は、ユーザーが購入またはローカルデバイスにダウンロードできる書籍（またはその他のコンテンツ）のカタログにアクセスできる場所である。書籍のリストは、カタログに入力されたメタデータに基づくカテゴリで配置され得る。カテゴリは、ビジネス７７２、コメディ７７４、フィクション７７６等のジャンルを含み得る。その他のカテゴリには、現在のビューをスライドするか、別のページに切り替えることによりアクセスできる。ブックストア７７０のビューの例示的なコントロール７６８は、マイライブラリへのリンク、書籍をアップロードするためのコントロール等を含み得る。
【００４９】
[0060]  一部の実施形態では、ギャラリーに新たに追加された項目の上に「新規」というバナーが表示される。「ここをクリック」クリックレットコントロールをギャラリーに実装し、マウスを利用するユーザーがピンチおよびズームを実行してギャラリーの階層を上位に移動できるようにすることが可能である。
【００５０】
[0061]  図８は、利用可能な書籍がアルファベット順に並べられた電子リーダーアプリケーションユーザーインターフェイスの例示的なマイライブラリビューを示す。
【００５１】
[0062]  利用可能なコンテンツのカテゴリ分けは、ジャンル（図解７００に図示）、入手可能性、コンテンツタイプ等の多数の形式をとり得る。図解８００は、電子リーダーアプリケーションユーザーインターフェイスのマイライブラリ８８０ビューの別の例示的なカテゴリ分けを示す。入手可能なコンテンツ（書籍）８８４は、アルファベットでカテゴリ分けされる。コントロール８６８は、他のビューのコントロールに似ている。このカテゴリ分けは、各ビューで同様に実装するか、またはビューごとにカスタマイズすることができる。
【００５２】
[0063]  図９は、多様なコンテンツと異なる種類のコンテンツ用の対話コントロールとを含む例示的な電子リーダーアプリケーションユーザーインターフェイスを示す。
【００５３】
[0064]  図解９００の電子リーダーアプリケーションの例示的な表示コンテンツは、テキストコンテンツ９９０と、画像コンテンツ９８６と、ビデオコンテンツ９８８とを含む。別のビュー（たとえば、マイライブラリ９９２）への１つまたは複数のリンクに加えて、表示コンテンツの全体または一部（たとえば、選択された部分）を処理するためのコントロールが提供される。たとえば、表示コンテンツのテキスト部分が選択されている場合、テキストサイズを（見やすくするために）スライダで調節するためのコントロール９９３が提供され得る。同様に、コントロール９９４およびコントロール９９６により、ユーザーはテキストサイズを段階的に調節できる。注釈コントロール９９８により、ユーザーはインクの入力により、またはキーボード入力を通じて、表示コンテンツに注釈を加えることができる。ユーザーが表示コンテンツの別の部分を選択すると、コントロールの一部またはすべてが、表示コンテンツの新たに選択された部分に適した他のコントロールに置換され得る。
【００５４】
[0065]  図１０は、ウェブコンテキストおよびローカルコンテキストを通じたコンテンツの安全な処理を概念的に示す。
【００５５】
[0066]  ダウンロードされたコンテンツは、悪意のあるコンテンツまたは安全でないコンテンツから保護するために、サンドボックス化され得る。コンテンツは、ウェブブラウザを使用してナビゲーションにより読み込まれ得る。通常、ローカルコンテンツはウェブサイトコンテンツよりも信頼性が高いため、異なる処理がなされ得る。ダウンロードされた信頼できないコンテンツは、参照によってエラーが発生しないように、プログラムによって読み込まれて処理される（媒体、スクリプト、スタイル等はｂｌｏｂオブジェクトとして表され得る）。
【００５６】
[0067]  図解１０００は、コンテンツ１００２の３つの例示的な作業での概念的な処理を示す。まず、スクリプトおよびスタイルリストが取得され、書籍のＨＴＭＬにインライン化され得る。画像については、参照が画像としてマークされ得る（音声/ビデオオブジェクトと同様）。次に、ローカルコンテキスト１０１０がインライン化されたＨＴＭＬを取得し、画像のすべてのインスタンスを走査して見つけ出し、それぞれについてｂｌｏｂを作成し得る。最後に、ローカルコンテキスト１００２がインライン化されたＨＴＭＬの画像参照をウェブコンテキスト１００８でｂｌｏｂから置換し得る。上述したように、ダウンロードされたコンテンツはサンドボックス化され（１００６）、元のコンテンツから分離され得る（１００４）。
【００５７】
[0068]  図１乃至図１０の例示的なシステムについて、特定のデバイス、アプリケーション、ユーザーインターフェイス要素、および対話を用いて説明した。実施形態は、これらの例示的な構成に係るシステムに限定されない。実施形態に係る電子リーダーシステムは、構成要素を減少または増加させた構成で実装され得、他のタスクを実行できる。さらに、特定のプロトコルおよび／またはインターフェイスを、本明細書に記載された原則を使用して同様の態様で実装できる。
【００５８】
[0069]  図１１は、実施形態が実装され得る例示的なネットワーク環境である。多機能サービスインフラストラクチャを備えた電子リーダーアーキテクチャは、ホストサービス等の１つまたは複数のサーバー１１１５上で実行されるソフトウェアを通じて実装され得る。プラットフォームは、タブレット１１１４、スマートフォン１１１３、ノートパソコン１１１２、デスクトップコンピュータ１１１１等の個別のコンピュータデバイス（「クライアントデバイス」）上のクライアント電子リーダーアプリケーションと、ネットワーク１１１０を通じて通信できる。
【００５９】
[0070]  クライアントデバイス１１１１〜１１１４のいずれかで実行されるクライアントアプリケーションは、サーバー１１１５または個別のサーバー１１１６で実行されるアプリケーションを通じて通信を簡素化し得る。サーバーのうちの１つで実行されるアプリケーションは、専門的、機関的、協働的、または個人的なコンテンツへの容易なアクセスを、検索、コメント作成、投稿等の補助機能と共に提供する一群の互換性のあるクロスプラットフォーム消費体験を通じて、コンテンツの格納、保護、商業交換、および共有を簡素化し得る。アプリケーションは、ユーザーおよびコンテンツの日付をデータストア１１１９に直接またはデータベースサーバー１１１８を介して格納できる。
【００６０】
[0071]  ネットワーク１１１０は、サーバー、クライアント、インターネットサービスプロバイダ、および通信媒体の任意のトポロジを含み得る。実施形態に係るシステムは、静的または動的なトポロジを備え得る。ネットワーク１１１０は、エンタープライズネットワーク等の安全なネットワーク、無線オープンネットワーク等の安全でないネットワーク、またはインターネットを含み得る。ネットワーク１１１０はさらに、公衆交換電話網（PSTN）やセルラーネットワークなどの他のネットワークでの通信を調整し得る。さらに、ネットワーク１１１０は、Ｂｌｕｅｔｏｏｔｈ等の近距離無線ネットワークを含み得る。ネットワーク１１１０は、本明細書に記載されるノード間の通信を提供する。例として、ネットワーク１１１０は音声、ＲＦ、赤外線等の無線媒体を含み得るが、これらに限定されない。
【００６１】
[0072]  コンピュータデバイス、アプリケーション、データソース、およびデータ配信システムの他の多くの構成を利用して、多機能サービスインフラストラクチャを備えた電子リーダーアーキテクチャを提供できる。さらに、図１１で説明したネットワーク環境は、単なる例示目的である。実施形態は、例示的なアプリケーション、モジュール、またはプロセスに限定されない。
【００６２】
[0073]  図１２および関連する説明は、実施形態を実装できる適切なコンピュータ環境について簡単に概説することを意図したものである。図１２を参照すると、コンピュータデバイス１２００等の、実施形態に係るアプリケーション用の例示的なコンピュータ動作環境のブロック図が示されている。基本的な構成では、コンピュータデバイス１２００は、実施形態に係る電子リーダーアプリケーションを実行する任意のコンピュータデバイス（たとえば、タブレット）であり得、少なくとも１つの処理装置１２０２とシステムメモリ１２０４とを含み得る。コンピュータデバイス１２００はまた、協調してプログラムを実行する複数の処理装置を含み得る。実際の構成およびコンピュータデバイスの種類に応じて、システムメモリ１２０４は、揮発性（RAM等）、不揮発性（ROM、フラッシュメモリ等）、またはこれら２つの何らかの組み合わせであり得る。システムメモリ１２０４は、典型的には、ワシントン州レドモンドのＭＩＣＲＯＳＯＦＴ  ＣＯＲＰＯＲＡＴＩＯＮのＷＩＮＤＯＷＳ（登録商標）オペレーティングシステムなど、プラットフォームの動作を制御するのに適したオペレーティングシステム１２０５を含む。システムメモリ１２０４はまた、プログラムモジュール１２０６、電子リーダーアプリケーション１２２２、コンテンツ管理モジュール１２２４等の１つまたは複数のソフトウェアアプリケーションを含み得る。
【００６３】
[0074]  電子リーダーアプリケーション１２２２は、書籍、文書等のコンテンツのダウンロード、格納、表示、共有、および注釈を簡素化し得る。一部の実施形態では、コンテンツ管理モジュール１２２４と協調する電子リーダーアプリケーション１２２２は、１つまたは複数のストアおよび／または電子リーダーサービスからコンテンツをダウンロードし、ユーザー嗜好に応じて表示し、ユーザー体験を強化するさまざまなビューおよびコントロールを提供できる。ＵＣ＆Ｃアプリケーション１２２２および制御モジュール１２２４は、ホスト型サービスの個別のアプリケーションまたは統合モジュールであり得る。この基本構成は、図１２で破線１２０８内の構成要素により示されている。
【００６４】
[0075]  コンピュータデバイス１２００は、追加の特徴または機能を含み得る。たとえば、コンピュータデバイス１２００は、磁気ディスク、光学ディスク、テープ等の追加のデータストレージデバイス（リムーバブルおよび/または非リムーバブル）を含み得る。そのような追加のストレージは、図１２でリムーバブルストレージ１２０９および非リムーバブルストレージ１２１０により示されている。コンピュータ可読メモリデバイスは、コンピュータ可読命令、データ構造、プログラムモジュール、電子リーダーコンテンツに関するその他のデータなどの情報を格納するための任意の方法または技術で実装された揮発性、不揮発性、リムーバブル、および非リムーバブルの物理媒体を含み得る。システムメモリ１２０４、リムーバブルストレージ１２０９、および非リムーバブルストレージ１２１０は、いずれもコンピュータ可読メモリデバイスの例である。コンピュータ可読メモリデバイスは、目的の情報を格納するために使用でき、コンピュータデバイス１２００によりアクセスできる、ＲＡＭ、ＲＯＭ、ＥＥＰＲＯＭ，フラッシュメモリまたはその他のメモリ技術、ＣＤ−ＲＯＭ、デジタル多用途ディスク（DVD）またはその他の光学ストレージ、磁気テープ、磁気ディスクストレージまたはその他の磁気ストレージデバイスを含み得るが、これらに限定されない。そのようなコンピュータ可読メモリデバイスはいずれも、コンピュータデバイス１２００の一部になり得る。コンピュータデバイス１２００はまた、キーボード、マウス、ペン、音声入力デバイス、タッチ入力デバイス、類似の入力デバイス等の入力デバイス１２１２を含み得る。ディスプレイ、スピーカー、プリンタ、その他の種類の出力デバイス等の出力デバイス１２１４も含まれ得る。これらのデバイスは、技術において公知であり、本明細書で詳しく説明する必要はない。
【００６５】
[0076]  コンピュータデバイス１２００はまた、分散コンピュータ環境の有線または無線ネットワーク、衛星リンク、セルラーリンク、近距離ネットワーク、および類似の機構等で、他のデバイス１２１８との通信を可能にする通信接続１２１６を含み得る。他のデバイス１２１８は、通信アプリケーションを実行するコンピュータデバイス、ウェブサーバー、および類似のデバイスを含み得る。通信接続１２１６は、通信媒体の一例である。通信媒体は、コンピュータ可読命令、データ構造、プログラムモジュール、または他のデータを含むことができる。例として、通信媒体は、有線ネットワークや直接有線接続などの有線媒体、および音声、ＲＦ、赤外線などの無線媒体を含むが、これらに限定されない。
【００６６】
[0077]  例示的な実施形態は、方法も含む。これらの方法は、本文書に記載された構造を含む、任意の数の方法で実装できる。そのような方法の１つは、本文書に記載された種類のデバイスの機械作業による。
【００６７】
[0078]  もう１つの任意選択の方法は、方法の１つまたは複数の個別の作業を、一部を実行する１人または複数の人間オペレータと連動して実行するものである。これらの人間オペレータは、一緒に配置されている必要はなく、プログラムの一部を実行するマシンがあればよい。
【００６８】
[0079]  図１３は、実施形態に係る電子リーダーサービスを提供するプロセスの論理流れ図である。プロセス１３００は、据置型または携帯型のコンピュータデバイスで実装され得る。
【００６９】
[0080]  プロセス１３００は、１つまたは複数のコンテンツソース（ブックストア等）が直接またはクラウドベースのリーダーサービスを通じてコンテンツを電子リーダーアプリケーションに提供する作業１３１０から始まる。作業１３２０で、電子リーダーアプリケーションに関連付けられたコンテンツの少なくとも一部が、クラウドベースのリーダーサービスにより管理されるデータストアに格納され得る。コンテンツは、１つまたは複数の電子書籍、雑誌、記事、専門コンテンツ、機関コンテンツ、個人コンテンツ、および協働コンテンツを含み得る。
【００７０】
[0081]  作業７３０で、一群の互換性のあるクロスプラットフォーム消費体験を通じてコンテンツを識別、格納、保護、商標交換、および共有するための多機能サービスインフラストラクチャがクラウドベースのリーダーサービスを通じて提供され得る。消費体験は、１つまたは複数のコア読書体験、メモ作成体験、調査体験、参照体験、ソーシャル共有体験、およびユーザー作成コンテンツの専門コンテンツとの集約体験を含み得る。
【００７１】
[0082]  プロセス１３００に含まれる作業は、例示を目的としたものである。電子リーダーサービスの提供は、工程を減少または増加させた類似のプロセスにより、および本明細書に記載された原則を使用して異なる作業順序で、実行され得る。
【００７２】
[0083]  上述した仕様、例、およびデータは、実施形態の構成の製造および使用を完全に説明するものである。主題について構造的特徴および／または方法論的行為に固有の表現で説明してきたが、添付の特許請求の範囲で定義された主題は上述した特定の特徴または行為に必ずしも限定されないことを理解されたい。むしろ上述した特定の特徴および行為は、特許請求の範囲および実施形態を実装する例示的な形式として開示されている。
【図１】
2015529909.tif 000004
【図２】
2015529909.tif 000005
【図３】
2015529909.tif 000006
【図４】
2015529909.tif 000007
【図５】
2015529909.tif 000008
【図６】
2015529909.tif 000009
【図７】
2015529909.tif 000010
【図８】
2015529909.tif 000011
【図９】
2015529909.tif 000012
【図１０】
2015529909.tif 000013
【図１１】
2015529909.tif 000014
【図１２】
2015529909.tif 000015
【図１３】
2015529909.tif 000016
【国際調査報告】
2015529909.tif 000017
2015529909.tif 000018
2015529909.tif 000019